(57)【要約】【課題】  行動中でも充電可能な収容カートリッジを提供する。【解決手段】  カートリッジ１は携帯式の電子用品に配する収容室１１を備え、収容室１１に一つ又は一つ以上のバックアップ電池２を備え、バックアップ電池２は固定又は活動自在に、カートリッジ１の収容室１１のいずれかの選定位置に結ばれ、バックアップ電池２の充電接点端は固定又は活動自在に、回路基板３の充電回路に結ばれ、回路基板３はカートリッジ１の収容室１１のいずれかの選定位置に設けられ、内蔵又は外部接続するように配置され、充電回路が設置され、携帯電話、ディジタルカメラ、ＰＤＡ、パームタイプのゲーム装置など様々な小型の電子用品の置きいれに適用され、携帯式電子用品の内蔵電池、バックアップ電池２、および回路基板３は充電の接続を形成し、携帯式電子用品をカートリッジ１に入れると、バックアップ電池２の電力を使って、移動中に充電を行う。【選択図】    図１
2006304540.tif 000002
【特許請求の範囲】
【請求項１】
カートリッジ、一つ又は一つ以上のバックアップ電池、充電回路を持つ回路基板を少なくとも備え、
カートリッジは携帯式の電子用品に配する収容室を備え、収容室に一つ又は一つ以上のバックアップ電池を備え、
一つ又は一つ以上のバックアップ電池は固定又は活動自在に、カートリッジの収容室のいずれかの選定位置に結ばれ、バックアップ電池の充電接点端は固定又は活動自在に、回路基板の充電回路に結ばれ、
回路基板はカートリッジの収容室のいずれかの選定位置に設けられ、内蔵又は外部接続するように配置され、充電回路が設置され、バックアップ電池が携帯式の電子用品の内蔵電池に充電可能であり、
携帯電話、ディジタルカメラ、ＰＤＡ、パームタイプのゲーム装置を少なくとも含む小型の電子用品の置きいれに適用され、携帯式電子用品の内蔵電池、バックアップ電池、および回路基板は充電の接続を形成し、携帯式電子用品をカートリッジに入れると、バックアップ電池の電力を使って、移動中に充電を行うことを特徴とする行動中でも充電可能な収容カートリッジ。
【請求項２】
バックアップ電池は二次電池を採用することを特徴とする請求項１に記載の行動中でも充電可能な収容カートリッジ。
【請求項３】
バックアップ電池は一次電池を採用することを特徴とする請求項１に記載の行動中でも充電可能な収容カートリッジ。
【請求項４】
バックアップ電池は一次電池、及び二次電池を併存、並列するように採用することを特徴とする請求項１に記載の行動中でも充電可能な収容カートリッジ。
【請求項５】
カートリッジは硬質又は軟質のカートリッジ、袋体、及びボックスを採用してもよいことを特徴とする請求項１に記載の行動中でも充電可能な収容カートリッジ。
【請求項６】
回路基板はカートリッジに付けるように設けられることを特徴とする請求項１に記載の行動中でも充電可能な収容カートリッジ。
【請求項７】
カートリッジのいずれかの選定側に、固定式又は活動式のクリップを設けることを特徴とする請求項１に記載の行動中でも充電可能な収容カートリッジ。
【請求項８】
少なくとも一つの高い容量のバックアップ電池を選択することを特徴とする請求項１に記載の行動中でも充電可能な収容カートリッジ。
【請求項９】
回路基板には、トランスの接続ワイヤに接続可能な電源入力端、及び携帯式電子用品に接続できる充電案内接続端が設けられることを特徴とする請求項１に記載の行動中でも充電可能な収容カートリッジ。
【請求項１０】
回路基板の充電案内接続端と携帯式電子用品の対応充電案内接続端とは挿入接続、タッチ接続、近接感応などつり合う組成形態を採用することを特徴とする請求項１に記載の行動中でも充電可能な収容カートリッジ。
【請求項１１】
回路基板の充電案内接続端は接続ワイヤが配置されることを特徴とする請求項１に記載の行動中でも充電可能な収容カートリッジ。
【請求項１２】
接続ワイヤ及び回路基板は活動自在に挿入、抜き可能に接続され、接続ワイヤの一端に、転換のアダプターがあることを特徴とする請求項１１に記載の行動中でも充電可能な収容カートリッジ。
【請求項１３】
回路基板の充電案内接続端が凸部接点の設計を使い、それに対し、携帯式電子用品の対応充電案内接続端がマッチの凹部接点の設計を使うことを特徴とする請求項１に記載の行動中でも充電可能な収容カートリッジ。
【請求項１４】
回路基板の充電案内接続端と携帯式電子用品の対応充電案内接続端とは挿入接続又は近接感応などつり合う組成形態を採用することを特徴とする請求項１に記載の行動中でも充電可能な収容カートリッジ。
【請求項１５】
回路基板の充電案内接続端は相互に配する伸縮プラグを採用することを特徴とする請求項１に記載の行動中でも充電可能な収容カートリッジ。
【請求項１６】
バックアップ電池は活動自在に回路基板の充電回路に結ばれることを特徴とする請求項１に記載の行動中でも充電可能な収容カートリッジ。
【請求項１７】
カートリッジは異なる電子用品に応じて、相互に配する収容形態を採用することを特徴とする請求項１に記載の行動中でも充電可能な収容カートリッジ。
【請求項１８】
カートリッジは独立のカートリッジや袋体やボックスを採用することを特徴とする請求項１に記載の行動中でも充電可能な収容カートリッジ。
【請求項１９】
皮のかばん、ハンドバッグ、ビジネスかばん、手荷物など個人的な随身物品に付けるように設けられることを特徴とする請求項１に記載の行動中でも充電可能な収容カートリッジ。
【請求項２０】
バックアップ電池は二次電池を採用し、
回路基板の充電回路は、カートリッジのバックアップ二次電池と携帯式電子用品の内蔵電池との間における充電回路と、カートリッジのバックアップ二次電池と外部接続市電（ＡＣ電源）との間における充電回路とを含むことを特徴とする請求項１に記載の行動中でも充電可能な収容カートリッジ。
【請求項２１】
カートリッジのバックアップ二次電池と外部接続市電との間における充電回路は外部接続の充電台座に合わせるように、充電の接続を形成することを特徴とする請求項２０に記載の行動中でも充電可能な収容カートリッジ。
【請求項２２】
充電台座に、独立に別の回路基板を設けることを特徴とする請求項２１に記載の行動中でも充電可能な収容カートリッジ。
【請求項２３】
充電台座は挿入接続、タッチ接続、近接感応などつり合う充電接続があることを特徴とする請求項２１に記載の行動中でも充電可能な収容カートリッジ。
【発明の詳細な説明】
【技術分野】
【０００１】
本発明は行動中でも充電可能な収容カートリッジに関するものであり、特に、移動しているうちに、携帯電話、ディジタルカメラ、ＰＤＡ、パームタイプのゲーム装置など様々な小型の電子用品に充電可能な収容カートリッジという新規の創案設計を指す。これにより、行動中でも、いつも充電でき、高い電量の状態を保持する。
【背景技術】
【０００２】
従来から、携帯電話、ディジタルカメラ、ＰＤＡ、パームタイプのゲーム装置など既知の様々な小型の電子用品は乾電池を採用して電力を供給する以外、通常、充電可能な内蔵電池も設けられ、需要の電力が供給される。
【発明の開示】
【発明が解決しようとする課題】
【０００３】
しかし、前掲の電子用品の内蔵電池容量はやはり限られるので、電力が間もなく消耗され、より長い時間、持続的に使用できない。特に、携帯電話、ディジタルカメラ、ゲーム装置など高い電力消耗の電子用品にはもっと深刻な問題である。すなわち、随時充電して、作動効果を確保するために、ユーザは充電器を身に付けて携帯しなければならない。さらに、離国のときはいつも各国の専用の異なる型式のコンセントに対応するプラグが必要であり、又、両立ではない電圧規格などの問題が生じ、面倒かつ不便を感じる。要するに、どのように高い電力消耗の電子用品の長い使用時間を維持するか、離国のときに直面する充電型式及び規格の差異などの問題は、確かに使用の困難、不便を招く。したがって、本発明の主な目的は行動中でも充電可能な収容カートリッジを提供することにある。
【課題を解決するための手段】
【０００４】
上記目的を達成するための行動中でも充電可能な収容カートリッジは、カートリッジ、一つ又は一つ以上のバックアップ電池（一次又は二次電池を採用することができる）、充電回路を持つ回路基板などの要素から形成される。カートリッジは、携帯式の電子用品に配する収容室があり、バックアップ電池を収容室に置く。また、回路基板は内蔵又は外部接続するように配置される。つまり、回路基板の充電案内接続端は携帯式電子用品の案内接続端に配するように接続される。そうすると、携帯式電子用品をカートリッジに入れると、事前に一杯に電力を蓄積された飽和のバックアップ電池と充電の接続を形成し、随時に、携帯式電子用品の内蔵電池へ充電されるので、移動中でも、携帯式電子用品の内蔵電池がいつも高い電量の状態を保持する。よって、ユーザは長い間に随時に電子用品を取り扱っても、電力供給不足の恐れがない。
【０００５】
さらに、本発明の行動中でも充電可能な収容カートリッジは、特に移動しているうちに、携帯電話の充電を提供する。携帯電話がカートリッジに入れると、カートリッジに設けられるバックアップの一次又は二次電池から充電が開始されるので、携帯電話の内蔵電池がいつも高い電量の状態を保持する。よって、随時に電子用品を取り扱っても、電力供給不足の現象がない。
さらに、本発明の行動中でも充電可能な収容カートリッジは、理想的に、一つ又は一つ以上のバックアップ電池は、少なくとも一つの高い容量のバックアップ電池を採用し、もっと十分なバックアップ電力を提供する。
【０００６】
さらに、本発明の行動中でも充電可能な収容カートリッジは、携帯電話、ディジタルカメラ、ＰＤＡ、パームタイプのゲーム装置など様々な小型の電子用品の移動中充電にさらに適用される。そのために、カートリッジは異なる電子用品に応じて、相互につり合う収容形態がある。ニーズに応じて、硬質又は軟質の収容カートリッジを使う。また、カートリッジは独立携帯のカートリッジ、袋体、ボックスなど収納形態を使うほか、皮のかばん、ハンドバッグ、ビジネスかばん、手荷物など色々な個人的の随身物品に付けてもよい。
【０００７】
さらに、本発明の行動中でも充電可能な収容カートリッジは、バックアップ電池の充電案内接続端と携帯式電子用品との充電接続又はバックアップ電池の充電案内接続端と外部接続市電との充電接続はニーズに応じて、挿入接続、タッチ接続、近接感応など様々なつり合う対応組合を採用する。
さらに、本発明の行動中でも充電可能な収容カートリッジは、述べた回路基板と携帯式電子用品との充電接続形態も様々なつり合う対応組合形態を採用する。
【０００８】
さらに、本発明の行動中でも充電可能な収容カートリッジは、カートリッジ又は回路基板に、充電中や充電終了や弱電状態を表すＬＥＤ表示ランプ（又は液晶表示板）を設置するので、ユーザは利便に、随時に充電状態又はバックアップ電池の弱電状態を検視する。
さらに、本発明の行動中でも充電可能な収容カートリッジは、バックアップ電池が二次電池を採用すれば、その回路基板は（１）共同構成のように、カートリッジのバックアップ二次電池と携帯式電子用品の内蔵電池との間における充電回路、（２）カートリッジのバックアップ二次電池と外部接続市電との間における充電回路、を含む。カートリッジのバックアップ二次電池と外部接続市電との間における充電回路は充電接続できる充電台座に配するので、カートリッジを利便に充電台座に入れて、バックアップ二次電池を充電する。
【０００９】
さらに、本発明の行動中でも充電可能な収容カートリッジは、カートリッジのバックアップ二次電池と外部接続市電との間における充電回路は独立に、別の回路基板に設置してもよい。独立に別に設置された回路基板はバックアップ二次電池と、充電接続できる充電台座に設置してもよい。カートリッジを充電台座に入れると、バックアップ二次電池を充電する。
【発明を実施するための最良の形態】
【００１０】
本発明の特徴および効果、目的などをご了解いただくために、以下、さらに具体的な実施例に図面をあわせて詳しく説明してみよう。
以下の各実施例については、図１から図２９の示すように、主に二次電池を本発明のバックアップ電池とする理想的な実施例である。ゆえに、本発明の実施例のバックアップ電池は二次電池２又は一次電池２ａに分けられて、適当に区別される。つまり、本発明の実施の場合に、バックアップ電池は自由に一次電池又は二次電池が選択でき、制限の必要がない。例えば、図３０示すのはバックアップ一次電池２aを本発明のバックアップ電池とする実施例である。それに対して、図３１示すのはバックアップ二次電池２とバックアップ一次電池２ａとの併存設計を採用する別種の異なる実施例である。ここで、とりあえず、提出して説明する。
【００１１】
図１から図５に示すように、本発明の一実施例による行動中でも充電可能な収容カートリッジは主に、カートリッジ１、一つ又は一つ以上のバックアップ二次電池２、充電回路を持つ回路基板３など要素から形成される。
カートリッジ１の選択材質は限られることはなく、硬質又は軟質の収納カートリッジを採用してもよい（袋体又はボックスなどもよい）。また、様々な異なる携帯式電子用品の種類形態に応じて、相互につり合う収容室１１を設けて、対応する携帯式の電子用品を収容する。収容室１１は一つ又は一つ以上のバックアップ二次電池２、充電回路を持つ回路基板３を設ける。カートリッジ１のいずれか選定側に、ロック用のカバー１２があるばかりでなく、ニーズに応じて、固定式または活動式のクリップ１３も追加できる。
【００１２】
一つ又は一つ以上のバックアップ二次電池２は理想的には高い容量のバックアップ電池を採用する。（少なくとも、一つの高い容量のバックアップを選択する）。そのバックアップ二次電池２は固定又は活動自在にカートリッジ１の収容室１１のいずれかの選定位置に付けられる。そして、バックアップ二次電池２の充電接点端は固定又は活動自在に回路基板３の充電回路に結ばれる。
【００１３】
回路基板３はカートリッジ１の収容室１１のいずれか選定位置に付けられるか、又はカートリッジ１に内蔵されてもよいし、外部接続するように配置されてもよい。回路基板３は充電回路を持ち、トランス接続ワイヤ４（図３参照）に接続できる電源入力端３１、及び携帯式電子用品（例えば携帯電話５）に接続できる充電案内接続端３２を備える。充電案内接続端３２は固定又は活動自在に回路基板３に結ばれる。（図面に示すように、回路基板３の充電案内接続端３２が枢設接続台座３２１に付けられて、活動自在に回路基板３に結合されるので、携帯電話５を挿入して結んだあとで、回してカートリッジ１に入れる。）
【００１４】
前掲のユニットから組成される行動中でも充電可能な収容カートリッジ１は、携帯電話５、ディジタルカメラ、ＰＤＡ、パームタイプのゲーム装置など様々な小型の電子用品の移動中充電に適用される。そのバックアップ二次電池２は予め、飽和電力を蓄積している。携帯式電子用品は平時、カートリッジ１に置かれ、バックアップ二次電池２の充電案内接続端に接続される。随時、携帯電子用品の内蔵電池５１に充電するので（図６参照）、バックアップ二次電池２の飽和電力は自動的に、電力が次第に消耗される内蔵電池５１の中に注入され、電力の補充を行う。よって、携帯電子用品の内蔵電池５１は行動中でも、経常的に高い電量を保持し、ユーザが長い間に随時に電子用品を取り使っても、電力の供給不足の恐れがない。
【００１５】
前掲の回路基板３に設けられる携帯式電子用品（例えば携帯電話５）の充電案内接続端３２と携帯式電子用品５自身の対応充電案内接続端とは、挿入接続、タッチ接続、近接感応などつり合う組成形態を採用する例が挙げられる。図１から図６で示す実施例では、挿入接続の充電案内接続端３２を掲示する。つまり、充電案内接続端３２は挿入接続コンネクターの形態を採用する。又、図７で示す実施例では、タッチ接続の充電案内接続端３２を掲示する。つまり、充電案内接続端３２はタッチ接続導電薄片の形態を採用する。さらに、図８及び図９で示す実施例では、充電案内接続端３２は様々な携帯式電子用品の充電案内接続端の異なる規格に応じて、別に接続ワイヤ３３を追加する。そして、接続ワイヤ３３はそれぞれ回路基板３の充電案内接続端３２及び携帯式電子用品５の充電案内接続端に接続される。また、接続ワイヤ３３は固定又は活動自在に回路基板３に接続される。図８及び図９に示すのは接続ワイヤ３３を固定に回路基板３に接続する実施例である。図１０に示すのは接続ワイヤ３３を活動自在な挿入、抜き方式で、回路基板３に接続される実施例である。接続ワイヤ３３の一端における転換アダプター３３１も様々な携帯式電子用品の充電案内接続端の規格に応じて、色々なつり合う型式を選択する。(図１１参照)。また、前掲の回路基板３に設けられる携帯式電子用品（例えば携帯電話５）の充電案内接続端３２と携帯式電子用品５自身の対応充電案内接続端とは近接感応のつり合う組成形態を採用してもよい。例えば、図１２に示すように、回路基板３の充電案内接続端３２と携帯式電子用品５自身の対応充電案内接続端５２とはそれぞれ近接感応式の充電装置に結合され、近接感応充電の目的を遂げる。
【００１６】
以上述べたように、本発明の同じの設計精神に基づいて、回路基板３の充電案内接続端３２と携帯式電子用品５自身の対応充電案内接続端５２とは様々なつり合う組み合わせ設計が適用できる。例えば、図１３で示す実施例のように、回路基板３の充電案内接続端３２をカートリッジ１の底側に設置し、充電案内接続端３２が凸部接点の設計を使う。それに対して、携帯式電子用品５の対応充電案内接続端５２が凹部接点の設計を使う。すなわち、特に回路基板３の充電案内接続端３２と携帯式電子用品５自身の対応充電案内接続端５２とを対応凹凸接点のタッチ導電の形態（挿入接続又は近接感応の形態もできるよう）にするので、二つの充電案内接続端３２、５２が軽易に配するように導電し、充電可能な。又、図１４に示すように、回路基板３の充電案内接続端３２はジャッキの形態を使うが、携帯式電子用品５の対応充電案内接続端５２は伸縮できるプラグ形態を使う。伸縮できるプラグ形態を持つ充電案内接続端５がプッシュボタン５３の押下により、伸縮自在を制御されるので、二つの充電案内接続端３２、５２は校正容易に合わされて、導電の目的を達成する。
【００１７】
図面に示すように、本発明の実施例は、回路基板３（又はカートリッジ１）に、充電中又は充電完了状態を顕すＬＥＤ表示ランプ３４を備える。そして、携帯式の電子用品５をカートリッジ１に入れたあとで、ランプで、充電中又は充電完了を表示する。また、回路基板３（又はカートリッジ１）のいずれの顕着位置に、弱電状態のＬＥＤ表示ランプ３５を配置し、ランプが点くと、バックアップ二次電池２の再充電のニーズがあることを表示する。
【００１８】
本発明の実施例の設計により、バックアップ二次電池２はカートリッジ１の収容室１１のいずれ選定位置を配置してもよい。例えば、図１５及び図１６に示すように、バックアップ二次電池２をカートリッジ１の収容室１１の底部位置に設ける。また、複数のバックアップ二次電池２はカートリッジ１の収容室１１のいずれの選定位置に配置してもよいし、少なくとも一つは高い容量のバックアップ二次電池２が選択されてもよい。例えば、図１７の示すように、二つのバックアップ電池をそれぞれカートリッジ１の収容室１１の両側に配置する。又は、図１８の示すように、四つのバックアップ二次電池２をそれぞれカートリッジ１の収容室１１の両側に配置する。又は図１９に示すように、二つのバックアップ二次電池２を一つの高い容量のバックアップ二次電池２に合わせるように、それぞれカートリッジ１の収容室１１の両側に配置する。
図２０に示すように、バックアップ二次電池２を活動自在に回路基板３の充電回路に結べれば、取り出して変更することが出来るほか、随時に取り出して、携帯式電子用品５の内蔵電池５１を取り換えてもよい。（勿論、バックアップ二次電池２と内蔵電池５１とは同じの型式のバックアップ電池である）。
【００１９】
本発明の実施例を応用すれば、携帯電話５を移動中、利便に充電することに適用できるばかりでなく、ディジタルカメラ（図２１参照）、ＰＤＡ６又はゲーム装置７(図２２参照)など様々な小型携帯式電子用品にとって、移動中、利便に充電することにも適用できる。ゆえに、カートリッジ１は異なる電子用品に応じて、相互につり合う収容形態を採用する。つまり、カートリッジ１は独立のカートリッジ（袋体又はボックスなど）を採用するほか、皮のかばん、ハンドバッグ、ビジネスかばん、手荷物など身に付ける色々な個人的な物品にも応用できる。それらは既存技術の応用だから、詳しい説明を省略する。
【００２０】
本発明の実施例の設計原理により、主に、事前に飽和電力を持つバックアップ二次電池２をカートリッジ１に付けて、携帯式電子用品２の内蔵電池５１に配するように接続させる。そうすると、携帯式電子用品５をカートリッジ１に入れたあとで、内蔵電池５１が損耗したら（図２３参照）、直ちに、内蔵電池５１の充電（図２４参照）を行って、内蔵電池５１を電力一杯の状態まで回復させる。結局、携帯式電子用品５は相当的な長い時間でも、随時に使えて、電力供給不足の恐れがない。
【００２１】
前掲の回路基板３の充電回路は、（１）カートリッジ１のバックアップ二次電池２と携帯式電子用品５の内蔵電池５１との間における充電回路、（２）カートリッジ１のバックアップ二次電池２と外部接続の市電（すなわちＡＣ電源）との間における充電回路、を含む。前者は充電飽和のバックアップ二次電池２の放電を利用し、電圧安定保護回路を経由し、内蔵電池５１の充電を提供する。内蔵電池５１の充電飽和の場合に、情報表示回路で、ＬＥＤ表示ランプ３４を点け、充電終了を表す。上記の充電回路の実施の場合に、ＯＮ／ＯＦＦスイッチ１０（図２３から図２７参照）を追加してもよい。携帯式電子用品５の内蔵電池５１が飽和状態になるときに、スイッチ１０を経由して、暫く充電回路を閉じる。スイッチ１０の線路は前掲の充電回路に配置され、カートリッジ１のいずれかの選定位置に取り付けられる。なお、後者に掲示した市電の外部に接続される充電回路ならば、カートリッジ１のバックアップ二次電池２は電圧安定保護回路及びトランスを経由し、市電（すなわちＡＣ電源）に接続される。それで、バックアップ二次電池２の充電を行い、同様に、情報の表示回路で、充電の状態を示す。
【００２２】
前掲の回路基板３の（１）及び（２）の充電回路は回路基板３と共同構成により回路基板３に設けてもよい。カートリッジ１のバックアップ二次電池２と外部接続の市電との間における充電回路は外部接続の充電台座８に合わせるように充電の接続を行うので、カートリッジ１は利便に充電台座８に入り（図２５参照）、バックアップ電池を充電する。前述の充電台座８の実施は独立に、別の回路基板３ａに設けてもよい。独立の回路基板３ａは充電台座８に付けるように設けられる。(図２６参照)。カートリッジ１を充電台座８に入れると、充電の接続が形成され、バックアップ電池を充電する。
【００２３】
前掲の充電台座８は、台座の対応位置に、挿入接続、タッチ接続（図２５及び図２６に示すような充電接続接点８１などの接触導電形態）又は近接感応（図２７に示すような近接感応式充電接続装置８１など近接感応式の充電組合形態）など様々なつり合う対応の充電接続を採用する。また、充電台座８は選定された箇所に、充電状態を表す液晶表示板８３を備える。
【００２４】
図２８は、本発明の実施例による行動中でも充電可能な収容カートリッジを身に付けるように携帯して使用する説明図である。つまり、カートリッジ１の実施は身に付ける収納カートリッジとする。携帯電話など携帯式電子用品をカートリッジ１に入れると、随身行動中でも、常に携帯式電子用品の内蔵電池を高い電量状態に保持する。図２９に示すように、本発明の実施例のカートリッジ１はハンドバッグ９に応用され、個人の随身物品に付けるように結合される。これにより、携帯式電子用品の移動中充電が提供できる。
【００２５】
本発明の設計精神に基づいて、実施のときに、掲示のバックアップ二次電池２はバックアップ一次電池２ａで取り換えられてもよい。図３０に示すように、従来から既知の３番や４番やほかの規格の一次電池（乾電池）を同じ方式で、充電回路を持つ回路基板３に接続するので、回路基板３はただ一つの充電回路だけを備える（即ち、バックアップ一次電池２ａだけであり、外部の市電との接続がいらない）。それで、バックアップ一次電池２ａを経由して、携帯式の電子用品５の内蔵電池に充電を行う。また、上述のバックアップ二次電池２とバックアップ一次電池２ａを併存、並列のように、カートリッジ１の中に配置してもよい。（図３１参照）。バックアップ二次電池２に電力を補充しないとき、ユーザは代わりにバックアップ一次電池２ａを使うので、携帯式の電子用品５の内蔵電池５１は同様に、充電の効果を得て、使用のフレキシビリティーが向上する。
また、図８から図１１に示す実施例のように、掲示の接続ワイヤ３３を延長してもよい。それで、携帯電話５と接続ワイヤ３３が充電接続されているとき、それを自在に取り出して通話に使う。（図３２参照）
【図面の簡単な説明】
【００２６】
【図１】本発明の一実施例による行動中でも充電可能な収容カートリッジを示す模式図である。
【図２】図１の側視図である。
【図３】本発明の一実施例の行動中でも充電可能な収容カートリッジをトランスの接続ワイヤに配する使用説明図である。
【図４】本発明の一実施例の行動中でも充電可能な収容カートリッジを携帯電話に配したときの接続の前の説明図である。
【図５】本発明の一実施例の行動中でも充電可能な収容カートリッジを携帯電話に配したときの接続のあとの説明図である。
【図６】本発明の一実施例の回路基板の充電案内接続端と携帯式電子用品の充電の対応案内接続端とのつり合う挿入接続形態を説明する模式図である。
【図７】本発明の一実施例の回路基板の充電案内接続端と携帯式電子用品の充電の対応案内接続端とのつり合うタッチ接続形態を説明する模式図である。
【図８】本発明の一実施例の回路基板の充電案内接続端に接続ワイヤを追加し携帯式電子用品の充電の対応案内接続端に接続する形態を説明する模式図である。
【図９】図８の収納した状態を示す模式図である。
【図１０】本発明の一実施例の行動中でも充電可能な収容カートリッジに活動挿入、抜き方式の接続ワイヤの追加を説明する模式図である。
【図１１】本発明の一実施例の接続ワイヤの転換アダプターの変更を説明する模式図である。
【図１２】本発明の一実施例の回路基板の充電案内接続端と携帯式電子用品の充電の対応案内接続端との近接感応形態を説明する上視図である。
【図１３】本発明の一実施例の回路基板の充電案内接続端と携帯式電子用品の充電の対応案内接続端の凹凸接続導電の形態を説明する模式図である。
【図１４】本発明の一実施例の回路基板の充電案内接続端と携帯式電子用品の充電の対応案内接続端のジャッキ、プラグの形態を説明する模式図である。
【図１５】本発明の一実施例のバックアップ電池のカートリッジ収容室の底部への設置を説明する模式図である。
【図１６】図１５の側面図である。
【図１７】本発明の一実施例の二つのバックアップ電池をそれぞれカートリッジ収容室の両側に設置することを説明する上視図である。
【図１８】本発明の一実施例の四つのバックアップ電池をそれぞれカートリッジ収容室の両側に設置することを説明する上視図である。
【図１９】本発明の一実施例の二つのバックアップ電池を高い容量のバックアップ電池に合わせるように、それぞれカートリッジ収容室に設置することを説明する上視図である。
【図２０】本発明の一実施例のバックアップ電池の取り出しを説明する模式図である。
【図２１】本発明の一実施例の行動中でも充電可能な収容カートリッジをディジタルカメラに応用するアセンブリ説明図である。
【図２２】本発明の一実施例の行動中でも充電可能な収容カートリッジをゲーム装置に応用するアセンブリ説明図である。
【図２３】本発明の一実施例の携帯式電子用品の内蔵電池の充電が始まる状態を示す説明図である。
【図２４】本発明の一実施例の携帯式電子用品の内蔵電池の充電が終える状態を示す説明図である。
【図２５】本発明の一実施例の行動中でも充電可能な収容カートリッジを接触タイプの充電台座に配する使用実施例を示す模式図である。
【図２６】本発明の一実施例の行動中でも充電可能な収容カートリッジを別の充電台座に配する使用実施例を示す模式図である。
【図２７】本発明の一実施例の行動中でも充電可能な収容カートリッジを近接感応タイプの充電台座に配する使用実施例を示す模式図である。
【図２８】本発明の一実施例の行動中でも充電可能な収容カートリッジを身に付けるように携帯して使用する説明図である。
【図２９】本発明の一実施例の行動中でも充電可能な収容カートリッジを携帯電話のハンドバッグに合わせるように使えることを示す説明図である。
【図３０】本発明の一実施例のバックアップ一次電池をバックアップ電池とすることの説明図である。
【図３１】本発明の一実施例のバックアップ一次電池及び二次電池を併用、並列するように、バックアップ電池とすることの説明図である。
【図３２】本発明の一実施例の携帯電話はより長い接続ワイヤを経由して、充電接続するような通話状態に呈する使用説明図である。
【符号の説明】
【００２７】
１  カートリッジ、１１  収容室、１２  カバー、１３  クリップ、２  バックアップ二次電池、２ａ  バックアップ一次電池、３  回路基板、３a  回路基板、３１  電源の入力端、３２  充電の案内接続端、３２１  枢設接続台座、３３  接続ワイヤ、３３１  転換アダプター、３４  ＬＥＤ表示ランプ、３５  ＬＥＤ表示ランプ、４  トランスの接続ワイヤ、５  携帯電話、５１  内蔵電池、５２  対応の充電の案内接続端、５３  プッシュボタン、６  ディジタルカメラ、７  ゲーム装置、８  充電台座、８１  充電接続接点、８３  液晶表示板、９  ハンドバッグ
【図１】
2006304540.tif 000003
【図２】
2006304540.tif 000004
【図３】
2006304540.tif 000005
【図４】
2006304540.tif 000006
【図５】
2006304540.tif 000007
【図６】
2006304540.tif 000008
【図７】
2006304540.tif 000009
【図８】
2006304540.tif 000010
【図９】
2006304540.tif 000011
【図１０】
2006304540.tif 000012
【図１１】
2006304540.tif 000013
【図１２】
2006304540.tif 000014
【図１３】
2006304540.tif 000015
【図１４】
2006304540.tif 000016
【図１５】
2006304540.tif 000017
【図１６】
2006304540.tif 000018
【図１７】
2006304540.tif 000019
【図１８】
2006304540.tif 000020
【図１９】
2006304540.tif 000021
【図２０】
2006304540.tif 000022
【図２１】
2006304540.tif 000023
【図２２】
2006304540.tif 000024
【図２３】
2006304540.tif 000025
【図２４】
2006304540.tif 000026
【図２５】
2006304540.tif 000027
【図２６】
2006304540.tif 000028
【図２７】
2006304540.tif 000029
【図２８】
2006304540.tif 000030
【図２９】
2006304540.tif 000031
【図３０】
2006304540.tif 000032
【図３１】
2006304540.tif 000033
【図３２】
2006304540.tif 000034